【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
第１のタイムスロットチャネルホッピング（ＴＳＣＨ）ネットワーク上で動作する親ノード内のプロセッサによって実行される方法であって、
親ノードによって、第１のＴＳＣＨネットワーク上の隣接ノードからの通信のために、第１のＴＳＣＨプロトコルの複数のタイムスロットの第１のタイムスロットの第１の部分の間に、第１のＴＳＣＨチャネルを聴取して待機することと、
前記第１のタイムスロットの第１の部分で通信が受信されなかったときに、前記親ノードによって、低エネルギーのエンドポイントノードからの通信のために前記第１のタイムスロットの第２の部分の間に、低エネルギーのネットワークチャネルを聴取して待機することであって、前記第１のＴＳＣＨチャネル及び前記低エネルギーのネットワークチャネルが異なる周波数チャンネルであることと、
前記低エネルギーのネットワークチャネルで親ノードによって、前記第１のタイムスロットの第２の部分の間に、前記低エネルギーのエンドポイントノードからの同期要求を受信することと、
前記親ノードによって前記低エネルギーのエンドポイントノードに、前記第１のＴＳＣＨプロトコルの複数のタイムスロットの第２のタイムスロットの第１の部分の間に同期応答を送信することであって、前記第２のタイムスロットは前記第１のタイムスロットに続くものであることとを含み、
前記同期応答は、前記低エネルギーのエンドポイントノードの通信を前記第１のＴＳＣＨプロトコルのチャネルホッピングパターンと同期させるための同期データを含む方法。
【請求項２】
前記親ノードは非バッテリ電源によって電力が供給され、
前記低エネルギーのエンドポイントノードはバッテリ電源によって電力が供給され、
前記親ノードは、前記低エネルギーのエンドポイントノードの起動／スリープサイクルの起動アップ期間にのみ前記低エネルギーのエンドポイントノードから通信を受信する請求項１に記載の方法。
【請求項３】
前記同期データは、前記親ノードと通信するための第３のタイムスロットを識別するための絶対的なスロット番号識別子を含む請求項１に記載の方法。
【請求項４】
前記第１のＴＳＣＨプロトコルの複数のタイムスロットのうちの第３のタイムスロットの第１の部分の間に、前記親ノードと前記低エネルギーのエンドポイントノードの間で通信を行うことをさらに含み、
前記第３のタイムスロットは前記第２のタイムスロットに続く請求項１に記載の方法。
【請求項５】
前記低エネルギーのネットワークノードは、前記低エネルギーのＴＳＣＨプロトコルで動作し、
前記第１のＴＳＣＨプロトコルのチャネルホッピングは、前記低エネルギーのＴＳＣＨプロトコルのチャネルホッピングと比較してより速いレートで行われる請求項１に記載の方法。
【請求項６】
前記第１のＴＳＣＨプロトコルのチャネルホッピングパターンを用いて、前記低エネルギーのネットワークノードとの同期通信は、前記低エネルギーのネットワークノードに対して、前記第１のＴＳＣＨプロトコルよりも速いレートで複数のチャネルを切り替える請求項５に記載の方法。
【請求項７】
前記親ノードは、前記低エネルギーのエンドポイントノードによって利用される前記低エネルギーのネットワークチャネルで、前記低エネルギーのエンドポイントノードに対する同期応答に通信する請求項１に記載の方法。
【請求項８】
同期要求に応答して、前記親ノードからの肯定応答信号を聴取することであって、前記肯定応答信号は、前記親ノードが前記低エネルギーのエンドポイントによって送信された同期要求を受信したことを示すことと、
前記肯定応答信号が前記親ノードから受信されなかったと判断するとき、前記同期要求を再送信することをさらに含む請求項１に記載の方法。
【請求項９】
第１の低エネルギーのネットワークチャネル上で、第１の同期応答を親ノードから第１の低エネルギーのエンドポイントノードに送信し、前記第１の同期応答は、前記第１の低エネルギーのエンドポイントノードの第１の起動／スリープサイクルの第１の起動期間に送信されることと、
第１のタイムスロットチャネルホッピング（ＴＳＣＨ）プロトコルのチャネルホッピングパターンに従って、１つ以上のチャネル上の複数のタイムスロットの間、親ノードは１つ以上の隣接ノードと通信することと、
第２の低エネルギーのネットワークチャネル上で、前記親ノードから第２の低エネルギーのエンドポイントノードに第２の同期応答を送信することであって、送信された第２の同期応答は、前記第２の低エネルギーのエンドポイントノードの第２の起動／スリープサイクルの第２の起動期間に送信されることと、
前記第１の同期応答及び前記第２の同期応答は、第１のＴＳＣＨプロトコルのチャネルホッピングパターンと同期するための同期データを含み、
前記第１の同期応答に応答して前記第１の低エネルギーのエンドポイントノードからの第１の肯定応答信号を聴取することであって、前記第１の肯定応答信号は、前記第１の低エネルギーのエンドポイントノードが前記第１の同期応答を受信しかつ前記第１のＴＳＣＨプロトコルのチャネルホッピングパターンと同期することと、
前記第２の同期応答に応答して、前記第２の低エネルギーのエンドポイントノードからの第２の肯定応答信号を聴取することであって、前記第２の肯定応答信号は、前記第２の低エネルギーのエンドポイントノードが前記第２の同期応答を受信しかつ前記第１のＴＳＣＨプロトコルのチャネルホッピングパターンと同期することを示すこととを含む方法。
【請求項１０】
前記第１の肯定応答信号が前記第１の低エネルギーのエンドポイントノードから受信されなかったと判断するとき、後続のタイムスロットにおいて前記第１の同期応答を再送信することをさらに含む請求項９に記載の方法。
【請求項１１】
前記第１の同期応答は、前記第１の低エネルギーのネットワークチャネル上の前記第１のＴＳＣＨプロトコルの第１のタイムスロットの第１の部分の間に送信され、
前記第２の同期応答は、前記第２の低エネルギーのネットワークチャネル上の前記第１のＴＳＣＨプロトコルの第２のタイムスロットの第１の部分の間に送信される請求項９に記載の方法。
【請求項１２】
前記親ノードは、非バッテリ電源によって電力を供給され、
前記第１の低エネルギーのエンドポイントノード及び前記第２の低エネルギーのエンドポイントノードは電池電源によって電力を供給される請求項９に記載の方法。
【請求項１３】
前記第１の低エネルギーのネットワークノード及び前記第２の低エネルギーのネットワークノードは、低エネルギーのＴＳＣＨプロトコルで動作し、
前記第１のＴＳＣＨプロトコルのチャネルホッピングは、前記低エネルギーのＴＳＣＨプロトコルのチャネルホッピングと比較してより速いレートで行われる請求項９に記載の方法。
【請求項１４】
前記第１の肯定応答信号が前記第１の低エネルギーのエンドポイントノードから受信されなかったと判断するとき、前記第１の低エネルギーのネットワークチャネル上の前記第１の低エネルギーのエンドポイントノードからの同期要求のために、前記第１のＴＳＣＨプロトコルのタイムスロットの第２の部分の間において聴取することをさらに含む請求項９に記載の方法。
【請求項１５】
同期応答を、親ノードから第１の低エネルギーのエンドポイントノードにブロードキャストし、低エネルギーのネットワークチャネル上で第２の低エネルギーのエンドポイントノードにブロードキャストすることであって、送信された同期応答は、前記第１の低エネルギーのエンドポイントノードの第１の起動／スリープサイクルの第１の起動期間において、及び第２の低エネルギーのエンドポイントノードの第２の起動／スリープサイクルの第２の起動期間において送信されることであり、前記親ノードは、第１のタイムスロットチャネルホッピング（ＴＳＣＨ）プロトコルのチャネルホッピングパターンに従って、１つ以上のチャネル上の複数のタイムスロットにおいて、１つ以上の隣接ノードと通信することと、
前記同期応答に応答して、前記第１の低エネルギーのエンドポイントノードからの第１の肯定応答信号を聴取することであって、前記第１の肯定応答信号は、前記第１の低エネルギーのエンドポイントノードが同期応答を受信しかつ第１のＴＳＣＨプロトコルのチャネルホッピングパターンと同期されたことを示すことと、
前記同期応答に応答して、前記第２の低エネルギーのエンドポイントノードからの第２の肯定応答信号を聴取することであって、前記第２の肯定応答信号は、前記第２の低エネルギーのエンドポイントノードが同期応答を受信しかつ前記第１のＴＳＣＨプロトコルのチャネルホッピングパターンと同期されたことを示すこととを含む方法。
【請求項１６】
前記同期応答は、前記第１のＴＳＣＨプロトコルの複数のタイムスロットのうちの第１のタイムスロットの第１の部分の間にブロードキャストされる請求項１５に記載の方法。
【請求項１７】
前記第１のＴＳＣＨプロトコルの複数のタイムスロットのうちの第２のタイムスロットにおいて第１の肯定応答信号を受信することであって、前記第２のタイムスロットは、前記第１の低エネルギーのエンドポイントノードによって決定された第１のランダム化された遅延に従って発生することと、
前記第１のＴＳＣＨプロトコルの複数のタイムスロットのうちの第３のタイムスロットの間において前記第２の肯定応答信号を受信することであって、前記第３のタイムスロットは、前記第２の低エネルギーのエンドポイントノードによって決定された第２のランダム化された遅延に従って発生することとを含む請求項１６に記載の方法。
【請求項１８】
前記第１の肯定応答信号が前記第１の低エネルギーのエンドポイントノードから受信されなかったと判断するときに、前記低エネルギーのネットワークチャネル上の前記第１の低エネルギーのエンドポイントノードからの同期要求のために、前記第１のＴＳＣＨプロトコルのタイムスロットの第２の部分の間に、聴取することをさらに含む請求項１５に記載の方法。
【請求項１９】
第１のタイムスロットチャネルホッピング（ＴＳＣＨ）ネットワークにおいて互いに通信可能に結合された複数のノードを備えるシステムであって、
前記複数のノードのうちの少なくとも１つは親ノードを含み、
前記親ノードは、
プロセッサと、
非一時的コンピュータ可読媒体とを備え、
前記プロセッサは、前記非一時的コンピュータ可読媒体に組み込まれた命令を実行して以下の動作を実行するように構成され、
前記命令は、
第１のＴＳＣＨプロトコルの複数のタイムスロットのうちの第１のタイムスロットの第２の部分の間に、前記親ノードによって、低エネルギーのネットワークチャネル上で通信する低エネルギーのエンドポイントノードからの同期要求を受信することとを含み、
前記親ノードは、前記第１のＴＳＣＨプロトコルの１つ以上の第１のＴＳＣＨチャネル上の複数のタイムスロットの第１の部分の間に、１つ以上の隣接ノードと通信し、
前記第１のタイムスロットと関連した、第１のＴＳＣＨチャネル及び前記低エネルギーのネットワークチャネルが異なる周波数チャネルであり、
前記親ノードは、前記第１のタイムスロットの第２の部分の間に、前記低エネルギーのネットワークチャネル上で通信を聴取し、
前記親ノードによって、前記低エネルギーのエンドポイントノードに、前記ＴＳＣＨプロトコルの複数のタイムスロットのうちの第２のタイムスロットの第１の部分の間に同期応答を送信することとを含み、
前記同期応答は、前記低エネルギーのエンドポイントノードの通信を前記ＴＳＣＨプロトコルのチャネルホッピングパターンと同期させるための同期データを含むシステム。
【請求項２０】
前記親ノードは、非バッテリ電源によって電力を供給され、
前記低エネルギーのエンドポイントノードは、バッテリ電源によって電力を供給され、
前記親ノードは、前記低エネルギーのエンドポイントノードの起動／スリープサイクルの起動アップ期間にのみ前記低エネルギーのエンドポイントノードから通信を受信する請求項１９に記載のシステム。
【請求項２１】
前記低エネルギーのネットワークノードは、低エネルギーのＴＳＣＨプロトコルで動作し、
前記第１のＴＳＣＨプロトコルのチャネルホッピングは、前記低エネルギーのＴＳＣＨプロトコルのチャネルホッピングと比較してより速いレートで行われる請求項１９に記載のシステム。
【請求項２２】
前記低エネルギーのネットワークノードの通信を前記第１のＴＳＣＨプロトコルのチャネルホッピングパターンと同期させることは、前記低エネルギーのネットワークノードに、前記第１のＴＳＣＨプロトコルのより速いレートでチャネルを切り替える請求項２１に記載のシステム。
【請求項２３】
低エネルギーのネットワークノードによって、親ノードに、前記親ノードによって利用される第１のＴＳＣＨプロトコルのチャネルホッピングパターンと通信を同期させるための同期要求を送信することであって、前記同期要求は、前記第１のＴＳＣＨプロトコルの複数のタイムスロットのうちの第１のタイムスロットの第２の部分の間に低エネルギーのネットワークチャネル上で送信されることであって、前記低エネルギーのネットワークチャネル及び第１のＴＳＣＨチャネルが異なる周波数チャネルであることと、
前記親ノードが同期要求を受信したことを示す肯定応答信号を聴取することと、
前記肯定応答信号が親ノードから受信されなかったと判断するとき、前記同期要求の再送信を第２のタイムスロットの第２の部分と整列させるように構成されたタイミングオフセットを有する複数のタイムスロットのうちの第２のタイムスロットの間に前記同期要求を再送信することとを含む方法。